Podtech/llm-jp-corpus-v4-ja_patent huggingface dataset:
(57)【要約】      （修正有）【課題】温室軸組み部材の溶接部分を無くした軸組の構造の温室を提供する。【解決手段】亜鉛メッキ材を軸組材に使用する温室において、合掌材３や柱材と、母屋、胴縁材２に接合される部材の接合部がアングルピース４をボルトによって固定される。溶接部材のプレートとアングルピースをボルト止めにする事に依り、従来のプレートとアングルピースを軸組組立時に行う事で、溶接、ペイント錆止を無くせる事と溶接箇所の凹凸が無くなり、ストック場所に於いても少面積ですみ又運搬に於いても荷締めが完全に出き、運搬車輌台数が減らせる。【選択図】図２
0003194619.tif 000002
【実用新案登録請求の範囲】
【請求項１】
亜鉛メッキ材を軸組材に使用する温室において、合掌材や柱材と、母屋、胴縁に接合される部材の接合部がアングルピースをボルトによって固定されたことを特徴とする溶接を無くした軸組の構造の温室。
【請求項２】
前記アングルピースはボルトによる固定をするための固定部を設けたことを特徴とするアングルピースを用いた請求項１に記載の軸組の構造の温室。
【請求項３】
前記アングルピースで固定される合掌材や柱材と、母屋、胴縁に接合される部材の接合部に、請求項２に記載するアングルピースのボルト固定部の対応する部分にナットが埋め込まれていることを特徴とする部材を用いた請求項１に記載の軸組の構造の温室。
【考案の詳細な説明】
【技術分野】
【０００１】  本考案は温室軸組み部材の溶接部分を無くした温室に関するものである。
【背景技術】
【０００２】  温室部材の合掌、柱材に、母屋、胴縁、固定用アングルピースを溶接していた。
【考案の概要】
【考案が解決しようとする課題】
【０００３】  溶接加工に於いて溶接機具、溶接技術者が必要である。溶接時素材が亜鉛メッキ鋼材であるため亜鉛ガスが発生しマスクをつけても作業を嫌がること。【０００４】  溶接箇所の錆止としてペイント塗付仕上げがあり工場内の美観清掃にコストが掛かる。アングルピース溶接加工後突起物が出ることによりストックに於いても置き場スペースが広い面積を必要とする。製品運搬に於いてアングルピースの突起物の角による衣服、手袋の引っ掛けによる危険作業の発生がある。建設現場への運搬運賃コストもアングルピースの突起物により荷が少量しか積めなく、又荷締が完全でなく不安定であり運賃もより高くついている。
【課題を解決するための手段】
【０００５】  本考案は、従来のアングルピースの溶接を無くしボルト止にすることに依り問題点を解決している。
【考案の効果】
【０００６】  溶接を無くしたことに依り、部分的な塗装も皆無となり外観上も優れた温室となった。加工に於ては作業の安全性が高まりコストも安価になった。ストックヤードは従来の半分の面積となり運搬に於ても運賃は半減し、安全性が確保された。
【図面の簡単な説明】
【０００７】
【図１】温室ハウスの軸組図
【図２】軸組接合部の拡大図
【図３】埋込ナットの取付断面図
【考案を実施するための形態】
【０００８】  従来の溶接をする合掌材、柱材の箇所に埋め込みナットの径の穴を開け埋め込みナットを器具にて埋め込む。従来の溶接をするアングルピースにボルト径の穴を開ける。
【実施例】
【０００９】  以下、添付画面に従って一実施例を説明する。母屋材２に下穴を開けて埋め込みナットを装着する。接合するアングルピース４と従来溶接する面にボルト穴を開ける。合掌材３とアングルピース４をボルトにて接合する。
【符号の説明】
【００１０】１  接合部
２  母屋、胴縁材
３  角パイプ合掌材
４  アングルピース
５  埋込ナット
６  埋込ナット器具
【図１】
0003194619.tif 000003
【図２】
0003194619.tif 000004
【図３】
0003194619.tif 000005
(57)【要約】      （修正有）【課題】低価格で製作できる救命胴衣を提供する。【解決手段】ペットボトル４を入れた袋を、袋に付随させたベルト１でつなぎ合わせ、胴体に巻き付けて装着することを特徴とする。身の回りにたくさんあるペットボトルを材料として用いることで、製造コストが安価である。【選択図】図１
0003194604.tif 000002
【実用新案登録請求の範囲】
【請求項１】
ペットボトルを用いて救命胴衣を作ること。
【請求項２】
図には救命胴衣の型として、ペットボトルを袋に入れ、ベルトで結んだ型の物を例で示したが、ベストのような服にペットボトルを組込んだりするというように、救命胴衣の型やペットボトルを包む材質にはさまざまなものが考えられる。したがって、救命胴衣の型や材質。ペットボトルの袋への入れ方や向きは問わず、本考案の請求する範囲に含まれるものとする。
【考案の詳細な説明】
【考案の概要】
日本列島南部にある南海トラフで近い将来起こると予想されている地震では、津波による死者が多く出ると懸念されている。いつ起こるか分からない地震に対して、救命胴衣が身近なところにあれば、命が救われることも大いにあるであろう。しかし、現状では南海トラフで起こるとされる地震の津波に対して、救命胴衣を買い求めて用意をしておこうという気運はない。それは、現在市販されている救命胴衣の価格が高いからに他ならない。それで、安価で手に入れやすいペットボトルを利用して救命胴衣を作れば低コストで作製できるので多くの人が買い求めることができる。また、学校や幼稚園などの人の集まる施設に十分な数の救命胴衣を用意することも可能であり、多くの命が救われるかもしれない。救命胴衣の型は様々考えられるが、ここでは、約１〜２リットルの容量のペットボトルを使い、そのペットボトルがちょうど入る大きさの袋に入れ、それらの袋をベルトでつなぎ合わせるタイプの物を本考案の例としてあげる。人によって胸囲や胴囲に個人差があるが、ペットボトルの入った袋をベルトでつなぎ合わせることにより、救命胴衣の大きさを自由に変えることができるので、体の大きさの違いに対応することができる。
【考案が解決しようとする課題】  近い将来起こると予想されている地震の津波に対して、多くの人の命が心配されるが、現在、市販されている救命胴衣の価格が高いため、救命胴衣を個人で買い求めようという気運はない。そこで、ペットボトルを利用して救命胴衣を低コストで作ることで、数多くの救命胴衣を普及させることができる。また、救命胴衣の大きさを自由に変えることができるので、体の大きさの違いに対応することができる。
【考案の効果】  低価格の救命胴衣を作ることで、多くの人が金銭面の負担をあまり感じることなく救命胴衣を手に入れることがでる。そのことで、地震による津波などに備えて個人で救命胴衣を準備することができる。また、学校や幼稚園などの施設においても、津波の発生に備えて十分な数の救命胴衣準備しておくことできる。
【図面の簡単な説明】
【図１】は、救命胴衣を作る部品で、１本のペットボトルを入れた袋となっている。この袋を正面から見た平面図である。袋の大きさは、容量が２リットルのペットボトルがちょうど入る大きさである。袋の両端には、それぞれ上部と下部にベルトが付いていおり、左端側のベルトの先端には凸型のベルト留めが、右端側のベルトの先端には凹型のベルト留めが付いている。凸型と凹型のベルト留めを組み合わせることにより、同様の他の袋とつなぎ合わせることができる。また、袋の側面にはチャックが付いていて、袋のこの部分からペットボトルを出し入れできる。
【図２】は、ペットボトルを入れる袋の部分が２つあるタイプの平面図である。両端のベルト留めは、図１のタイプのものと同様である。
【図３】は、ペットボトルを入れる袋の部分が３つあるタイプの平面図である。両端のベルト留めは、図１のタイプのものと同様である。
【図４】は、図２と図３のタイプのものを、ベルト留めでつなぎ合わせて輪の形にした救命胴衣である。これを真上から見た平面図である。
【符号の説明】１．ベルト
２．凸型のベルト留め
３．凸型のベルト留め
４．ペットボトル
５．チャック
６．ベルト留めでつなぎ合わせた部分
【図１】
0003194604.tif 000003
【図２】
0003194604.tif 000004
【図３】
0003194604.tif 000005
【図４】
0003194604.tif 000006
【手続補正書】
【提出日】平成26年9月10日(2014.9.10)
【手続補正１】
【補正対象書類名】実用新案登録請求の範囲
【補正対象項目名】全文
【補正方法】変更
【補正の内容】
【実用新案登録請求の範囲】
【請求項１】
ペットボトルを入れた袋を、袋に付随させたベルトでつなぎ合わせ、胴体に巻き付けて装着することを特徴とした救命胴衣。
(57)【要約】      （修正有）【課題】常に目視することを可能とし、日常的に習得しようとする言語を口にして、会話を成立させることができる教材を提供する。【解決手段】言語を習得するための教材１であって、複数枚の頁が上端でとじられた表示部１０と、表示部の上端を支持し、表示部を立てた状態で維持する台部２０とを備え、表示部の各頁１１ａ，１１ｂに示された内容は、閉じられた部分を上端とし、互いに隣接する頁は、互いについとなる問、又は、この問いの回答が示されている教材。【選択図】図１
0003194610.tif 000002
【実用新案登録請求の範囲】
【請求項１】
言語を習得するための教材であって、複数枚の頁が上端でとじられた表示部と、表示部の上端を支持し、表示部を立てた状態で維持する台部を備え、表示部の各頁に示された内容は、閉じられた部分を上端とし、互いに隣接する頁は、互いについとなる問又はこの問いの回答が示されている教材。
【考案の詳細な説明】
【技術分野】
【０００１】
この発明は、言語を習得するための教材に関する。
【背景技術】
【０００２】
学習の対象となる新出語を同じ形あるいはその応用形（派生語）で繰り返し提示して、新出語の記憶定着率を高める語学用学習教材。
【先行技術文献】
【特許文献】
【０００３】
【特許文献１】特開２００５−２５１４１号公報
【考案の概要】
【考案が解決しようとする課題】
【０００４】
日本の言語教材は、殆どが書籍であり、本を開かないと勉強にならない。例えば、小・中・高の英語教育は、机上における書籍を使った学習が中心で会話をほとんどしないため、英語を口にすることがなかなか難しい。本考案は、常に目視することを可能とし、日常的に習得しようとする言語を口にして、会話を成立させることができる教材を提供することを目的とする。
【課題を解決するための手段】
【０００５】
本考案は、言語を習得するための教材であって、複数枚の頁が上端でとじられた表示部と、表示部の上端を支持し、表示部を立てた状態で維持する台部とを備え、表示部の各頁に示された内容は、閉じられた部分を上端とし、互いに隣接する頁は、互いについとなる問、又は、この問いの回答が示されている教材。
【０００６】
この教材を使い始めたら、習得しようとする言語の基礎会話の実力が、すぐにしっかり身につく。市販されている言語教材は殆どが書籍になっており、机の上に置いてしまうと開くまで内容を目にすることがない。そのような教材より、本考案に係る教材は、いつでも開いており、いつも目に触れ、すぐに使って会話を始めることが出来る。大人から子供まで、互いに質問する側答える側になることが出来るため、お互いを知るコミュニケーションとなる。学ぼうとする言語のあらゆる基礎会話パターンの質問と答えを実際に声に出してやり取りすることにより、学んでいる言語を気軽に使う事が出来るようになる。
【０００７】
この教材は、あらゆるジャンルに活用することが可能である。日本における英語教材のみならず、たとえば、その他の言語を他国で利用する教材とすることも可能である。一言語だけの教材のみならず、二か国語の教材としてもよい。
【考案の効果】
【０００８】
本考案は、常に目視することを可能とし、日常的に習得しようとする言語を口にして、会話を成立させることができる教材を提供できる。
【図面の簡単な説明】
【０００９】
【図１】本考案に係る教材を説明する図である。
【図２】本考案に係る教材を説明する図である。
【考案を実施するための形態】
【００１０】
教材１は、言語を習得するための教材であって、複数枚の頁が上端でとじられた表示部10と、表示部10の上端を支持し、表示部10を立てた状態で維持する台部20を備え、表示部10の各頁11(11a,11b)に示された内容12(12a,12b)は、閉じられた部分を上端とし、互いに隣接する頁11aと11bは、互いについとなる問又はこの問いの回答が示されている。
【００１１】
教材１は、卓上カレンダー式の形になっており、開いた時に、質問に対する答えが出るように製本されている。
例えば二人の学習者は教材1を見ながら、相手とやり取りをする。
【００１２】
教材1は、常に2面が表にある状態である。
例えば図1に示すように、A側には、質問が印刷されている。そして図2に示すように、B側には、答え方が印刷されている。
そして例えば、A側のAさんは、頁11aの内容12aである質問をすべて読み、B側にいるBさんの答えを聞く。BさんはAさんが読んだ質問に一つずつ、正しい文章で答える。ここで、Bさんは、正しい文章で答えられない場合には、頁11bの内容12bである質問の回答を読み上げる。
Aさんの質問がすべて終わったら、Bさんと交代して、今度はBさんがAさんに質問をする。
【符号の説明】
【００１３】
１  教材
１０  表示部
１１, １１a, １１b  頁
１２, １２a, １２b  頁に表示された内容
２０  台部
【図１】
0003194610.tif 000003
【図２】
0003194610.tif 000004
(57)【要約】      （修正有）【課題】合成樹脂製郵便封筒等の封緘用熱溶融性粘着糊部を保護する、離型紙に関し、熱溶融性粘着糊の樹脂成分の一部によって、離型紙が変形することがなく、二次加工が容易にでき、長期保存にも適している離型紙を提供する。【解決手段】離型紙４は、静電防止用二軸延伸ポリプロピレンフィルムの片面に剥離材を塗布した構造を有する。【選択図】図１
0003194601.tif 000002
【実用新案登録請求の範囲】
【請求項１】
合成樹脂製の郵便封筒等の封緘用熱溶融性粘着部を保護する、離型紙において、材質として静電気防止用二軸延伸ポリプロピレンフィルムを使用したことを特徴とする、離型紙。
【考案の詳細な説明】
【考案の詳細な説明】
【技術分野】
【０００１】本考案は、合成樹脂製郵便封筒等の封緘用熱溶融性粘着糊部を保護する、離型紙に関する考案である。
【考案の概要】
【考案が解決しようとする課題】
【０００２】従来の離型紙は、ポリエチレンフィルムを使用しているため、熱溶融性粘着糊に含まれている樹脂成分の一部によって、ポリエチレンフィルムの熱溶融性粘着糊の接着面部が変形する。【０００３】前記の事情によって、封筒の長期保存が離型紙の変形により、不可能である。【０００４】前記の事情によって、二次加工として、ダイレクトメールの自動封入、封緘などは離型紙の変形により、不可能である。【０００５】内容物を封入後、封緘のために離型紙を取り除く際、従来のポリエチレン製離型紙では、静電気を帯びているため、封筒または内容物に張り付いたまま封緘し、異物混入となる恐れがある。【０００６】前記の事情によって封筒の製袋加工時に封筒の揃えが困難である。
【課題を解決するための手段】
【０００７】本考案の、離型紙は、静電気防止用二軸延伸ポリプロピレンフィルムの片面に剥離材を塗布された、離型紙の考案である。【０００８】前記の本考案の、離型紙は、静電気防止用二軸延伸ポリプロピレンフィルムを使用しているため、熱溶融性粘着糊に含まれている樹脂成分の一部によって、二軸延伸ポリプロピレンフィルムは変形しない性質を持っている。【０００９】本考案の、離型紙は、材質として静電気防止用二軸延伸ポリプロピレンを用いる。
【考案の効果】
【００１０】本考案の、離型紙は、静電気防止用二軸延伸ポリプロピレンを使用している。よって、二軸延伸されているため、熱溶融性粘着糊の樹脂成分の一部によって、離型紙が変形することがない。【００１１】前記の離型紙使用の封筒は、剥離テープが変形していないため、二次加工が容易にできる。【００１２】前記の離型紙は、長期保存にも適している。【００１３】木考案の離型紙は、一般の封緘用糊付き袋にも使用することができる。
【図面の簡単な説明】
【図１】正面図
【図２】側面図
【考案を実施するための形態】
【００１４】以下、本考案の実施の形態を図面を参照しながら詳細に説明する。なお、以下の説明にあたって、同一構成要件については、同一符号を付けて、重複した説明を省略する。
【００１５】本実施形態の包装用袋は、図１及び図２に示すように、袋本体１の全体が樹脂製フィルムからなり、該袋本体１の上部には開口部が形成され、該開口部より下側には、被収納物を収納する収納部２が形成されている。そして、袋本体１を構成するフィルムからなる一片１ａ及び他片１ｂのうち、一片１ａが他片１ｂより前記開口部２の上部に延長されて封緘片４が形成されている。封緘片４には熱溶融性溶着糊塗工装置を使用し、熱溶融性粘着糊３が塗布されている。熱溶融性粘着糊部を保護するため、静電気防止用二軸延伸ポリプロピレンフィルムに剥離材を塗布した、離型紙５を封緘片４の接着面部に設けることとする。
【００１６】本考案の離型紙は、一般の封緘用糊付き袋の離型紙に使用するときも、本請求範囲に抵触する。
【符号の説明】〔符号１〕袋本体
〔符号２〕収納部
〔符号３〕熱溶融性粘着糊
〔符号４〕離型紙
〔符号５〕封緘片
【図１】
0003194601.tif 000003
【図２】
0003194601.tif 000004
【手続補正書】
【提出日】平成26年9月10日(2014.9.10)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製の郵便封筒等の封緘用熱溶融性粘着部を保護する離型紙において、静電気防止用二軸延伸ポリプロピレンフィルムの片面に剥離材を塗布した構造を有する離型紙。
(57)【要約】      （修正有）【課題】凹凸のある斜面でも容易に飛来種子を捕捉する箇所を造成し、それらの種子の発芽・生育を促進する環境を整えることで裸地斜面の自然景観復元に寄与する飛来種子捕捉部材および構造体を提供する。【解決手段】複数の棒状体１を結合具２を用いて連結し、その連結箇所を屈曲可能な構造とする。斜面の凹凸に沿って形状を変形し、長手方向が等高線と平行になるように斜面に設置し、斜面とこの飛来種子捕捉部材による作られる凹部に飛来種子を捕捉することにより、凹凸のある斜面でも容易に捕捉箇所を造成できる。【選択図】図１
0003194609.tif 000002
【実用新案登録請求の範囲】
【請求項１】
斜面に設置する部材であって、複数の棒状体を結合具を用いて連結し、その連結箇所を屈曲可能な構造とすることを特徴とする飛来種子捕捉部材。
【請求項２】
請求項１に記載の飛来種子捕捉部材を、長手方向が等高線と平行になるように斜面に設置して形成される飛来種子捕捉構造体。
【考案の詳細な説明】
【技術分野】
【０００１】  本考案は崩壊や道路開設等で生じた裸地斜面の自然景観復元を図るための飛来種子捕捉部材および構造体に関するものである。
【背景技術】
【０００２】  山間部の崩落地や道路開設により生じた裸地斜面（法面）を現地の樹木等が生産する種子の飛来により緑化を図る場合、雨水等による流下水やそれに伴う表層土砂の移動等が生じるため、種子を斜面に定着させることが困難となっている。このような飛来種子の流亡を防ぐため、斜面にステップを造成する方法が知られている。
【先行技術文献】
【特許文献】
【０００３】
【特許文献１】登録実用新案第３１６５０４９号
【考案の概要】
【考案が解決しようとする課題】
【０００４】  上記の方法は、クリンプ金網や溶接金網あるいはプラスチック成型品等による生育基盤保持具を斜面に設置し、現地発生土等の生育基盤を覆土することで飛来種子が定着するための平地を作るものであるが、生育基盤保持具の設置箇所はフラットな面である必要があり、凹凸のある斜面では、人力または機械により斜面表面をフラットに仕上げなければならず施工性が低下する場合がある。また、覆土の作業を斜面で実施することは容易ではなく、生育基盤の運搬等も考慮すると施工性は劣る。【０００５】  本考案は上記の事柄に留意してなされたもので、その目的は、凹凸のある斜面でも容易に飛来種子を捕捉する箇所を造成し、それらの種子の発芽・生育を促進する環境を整えることで裸地斜面の自然景観復元に寄与する飛来種子捕捉部材および構造体を提供することである。
【課題を解決するための手段】
【０００６】  上記目的を達成するために、本考案に係る飛来種子捕捉部材は、複数の棒状体を結合具を用いて連結し、その連結箇所を屈曲可能な構造とすることを特徴とする。（請求項１）【０００７】  さらに、上記目的を達成するために、本考案に係る飛来種子捕捉構造体は、前記飛来種子捕捉部材を、長手方向が等高線と平行になるように斜面に設置することにより形成される。（請求項２）【０００８】  この考案における斜面とは、例えば法面等の植物を植生しようとする斜面を意味する。また、斜面は、その表面に植生面を有していてもよい。【０００９】  前記植生面は、例えば、斜面の表面に肥料、保水材、土壌改良材の少なくとも一つを用いた植生基材からなる植生基盤層を造成したものである。なお、前記植生面は、上記の構成からなるものに限られず、例えば、現地周辺の土壌などの種子を含む客土を用いてもよい。さらに、前記植生面は、例えば、斜面の表面に植生シートや植生マット及び前記植生基材を収容した土のうを敷設することによって形成してもよい。【００１０】  前記飛来種子捕捉部材は、複数の棒状体を、例えばボルトナット等の結合具を用いて連結し、その連結箇所を屈曲可能な構造としたものである。
【考案の効果】
【００１１】  上記の構成からなる本考案によれば、凹凸のある斜面でも容易に飛来種子を捕捉する箇所を造成し、それらの種子の発芽・生育を促進する環境を整えることで裸地斜面の自然景観復元に寄与することが可能になる。【００１２】  すなわち、前記飛来種子捕捉部材が複数の棒状体の連結箇所を屈曲可能な構造であることから、斜面の凹凸に沿うように設置することができ、棒状体と斜面により作られる凹部に飛来種子を捕捉することができる。【００１３】  また、森林の地上面では倒れた古木を礎にして新たな世代の木が育つ倒木更新が見られるが、これは、倒木自身が養分の供給源となり、また、適度な湿度を有しているためである。このことから、特に前記飛来種子捕捉部材を木製とした場合には、倒木更新と同様に養水分の供給の面で有利に働き、捕捉した種子の発芽・生育を促進する環境を整えることができる。
【図面の簡単な説明】
【００１４】
【図１】飛来種子捕捉部材の構成を示す説明図である。
【図２】飛来種子捕捉部材の可動形態を概略的に示した説明図である。
【図３】飛来種子捕捉部材を凹凸のある斜面へ設置した状態を概略的に示す横断面図である。
【図４】飛来種子捕捉部材の効果により、飛来種子が活着した状態を概略的に示す縦断面図である。
【考案を実施するための形態】
【００１５】  以下、本考案の実施の形態について図面を参照しながら説明する。
【００１６】  図１において、本実施形態に係る飛来種子捕捉部材は棒状体１を、例えばボルトナット等の結合具２を用いて連結させることによって形成されるものである。
【００１７】  また、図２において、飛来種子捕捉部材は結合具２を軸として、連結箇所を屈曲可能な構造（可動部４）としたものである。
【００１８】  そして、図３において、斜面５の凹凸に合わせ、前記可動部４を変形させ、固定具挿入口３に例えばアンカーピン等の固定具６を挿入し、斜面５へ固定することにより、本考案に係る飛来種子捕捉構造体は形成されるものである。
【００１９】  ここで、飛来種子捕捉構造体は、長手方向が等高線と平行になるように斜面５に設置することで、飛来種子を効果的に捕捉することができ、連続的もしくは断続的あるいは千鳥配列とすることができる。
【００２０】  また、前記斜面５は表面に植生面を有していてもよい。前記植生面は、例えば、斜面５の表面に肥料、保水材、土壌改良材の少なくとも一つを用いた植生基材からなる植生基盤層を造成したものである。なお、前記植生面は上記の構成からなるものに限られず、例えば、現地周辺の土壌などの種子を含む客土を用いても良い。さらに、前記植生面は、例えば、斜面５の表面に植生シートや植生マット及び前記植生基材を収納した土のうを敷設することによって形成してもよい。
【００２１】  そして、図４において、斜面５と飛来種子捕捉部材により作られる凹部８に飛来種子を捕捉することができる。なお、飛来種子捕捉部材が木製である場合には、養水分の供給の面で有利に働き、植物７の発芽・生育を促進する環境を整えることができる。
【符号の説明】
【００２２】１    棒状体
２    結合具
３    固定具挿入口
４    可動部
５    斜面地表部
６    固定具
７    植物
８    飛来種子捕捉凹部
【図１】
0003194609.tif 000003
【図２】
0003194609.tif 000004
【図３】
0003194609.tif 000005
【図４】
0003194609.tif 000006
(57)【要約】      （修正有）【課題】既存の二本の物干し竿の間に架け渡して、洗濯物やハンガー掛けとして使用し、洗濯物干し場のスペースの有効活用に供する物干し竿補助具において、部品点数が少なく、簡単な構造で安価な物干し竿補助具を提供する。【解決手段】物干し竿補助具の主体部１とハンガー掛け部１１を一体に形成し、既存の二本の物干し竿３１、３２に固定可能な二つの嵌め合い部１２、２１の内の一つ、または二つをハンガー掛け部と摺動可能な構造にし、かつハンガー掛け部の片端、または両端を二つの嵌め合い部より外側に突出させる。【選択図】図１
0003194631.tif 000002
【実用新案登録請求の範囲】
【請求項１】
並設される既存の二本の物干し竿に交差するように配されるハンガー掛け部と、このハンガー掛け部に設けられて既存の二本の物干し竿に固定可能な二つの嵌め合い部を備える物干し竿補助具において、
前記ハンガー掛け部は主体部と一体に形成され、前記二つの嵌め合い部の内の一つ、または二つを前記ハンガー掛け部と摺動可能な構造とし、かつ、
前記ハンガー掛け部の片端、または両端が前記二つの嵌め合い部の間より外側に突出する物干し竿補助具。
【考案の詳細な説明】
【技術分野】
【０００１】  この考案は、既存の二本の物干し竿の間に架け渡して、洗濯物やハンガー掛けとして使用し、洗濯物干し場のスペースの有効活用に供する物干し竿補助具に関する。
【背景技術】
【０００２】  従来から、既存の二本の物干し竿の間に架け渡して、洗濯物やハンガー掛けとして使用する物干し竿補助具は、次の特許文献でみられるように公知になっている。【０００３】
【特許文献１】実用新案登録第３１８０４６０号
【特許文献２】実用新案登録第３１７５４２１号
【考案の開示】
【考案が解決しようとする課題】
【０００４】  しかしながら、以上の技術によれば、主体部が二重管構造になっている。
更に、ハンガー掛け部、またはハンガーの位地規制構造部が主体部と別部品で構成されているために、複雑な構造で部品点数が多くなり、費用が高くなる欠点があった。【０００５】  そこで、この考案は、ハンガー掛け部と主体部を一体に形成することで、部品点数の少ない簡単な構造とし、安価な物干し竿補助具を提供することを課題とする。
【課題を解決するための手段】
【０００６】  以上の課題を解決するために、この考案は、ハンガー掛け部と主体部を一体に形成し、既存の二本の物干し竿に固定可能な二つの嵌め合い部の内の一つ、または二つを前記ハンガー掛け部と摺動可能な構造にしたことを特徴とする物干し竿補助具である。
【考案の効果】
【０００７】  この考案によれば、ハンガー掛け部と主体部を一体に形成しているので、部品点数の少ない簡単な構造となり、安価な物干し竿補助具にすることができる。
【考案を実施するための最良の形態】
【０００８】  この考案の一実施形態を、図１に示す。
物干し竿補助具の主体部１に、丸穴形状のハンガー掛け部１１と、既存の物干し竿３１に固定可能な、嵌め合い部１２が、一体に形成されている。この物干し竿補助具の主体部１に、既存の物干し竿３２に固定可能な、嵌め合い部２１が、摺動可能に組み付けられている。【０００９】「実施形態の効果」
この実施形態によれば、物干し竿補助具の主体部１に、ハンガー掛け部１１を一体に形成していることで、少ない部品点数で、多くのハンガー４１を、間隔を保ったまま掛けることができる。【００１０】  また、物干し竿補助具の主体部１に、既存の物干し竿３２に固定可能な、嵌め合い部２１が、摺動可能に組み付けられているので、既存の物干し竿３１，３２の間隔に合わせて、この物干し竿補助具を、少ない部品点数で固定することができ、費用を安くできる。【００１１】「他の実施形態」
図１の実施形態では、ハンガー掛け部１１を丸穴形状としているが、他の実施形態では、ハンガー掛け部の形状を、長穴形状や溝形状にしても良い。【００１２】  また、図３の実施形態のように、既存の二本の物干し竿３１，３２に、固定可能な二つの嵌め合い部２１，５１を、物干し竿補助具の主体部１と、それぞれ別部品で構成しても良い。
【図面の簡単な説明】
【００１３】
【図１】この考案の一実施形態を示す斜視図である。
【図２】この考案の一実施形態を示す正面図である。
【図３】この考案の一実施形態を示す正面図である。（他の実施形態）
【符号の説明】
【００１４】１  物干し竿補助具の主体部
１１  ハンガー掛け部（丸穴形状）
１２  嵌め合い部（既存の物干し竿３１に固定可能）
２  嵌め合い部品
２１  嵌め合い部（既存の物干し竿３２に固定可能）
３１  既存の物干し竿
３２  既存の物干し竿
４１  ハンガー
５  嵌め合い部品
５１  嵌め合い部（既存の物干し竿３１に固定可能）
【図１】
0003194631.tif 000003
【図２】
0003194631.tif 000004
【図３】
0003194631.tif 000005
(57)【要約】      （修正有）【課題】就寝時に他人に気兼ねすること無くラジオや音楽を聞きながら、安心して眠りに就くことができる枕を提供する。【解決手段】枕１の表面中央部の布地に、スピーカーＡ２とスピーカーＢ３とスピーカーＣ４の３個のスピーカーを一列に並べた状態で設け，枕より直接音声が出るようにした。仰向けの状態では耳とスピーカーとの間隔があるために音声を拾うことが困難で、その事を可能にするために、枕１の中身の材質を上方を柔らかな材質７、下方を硬い材質８の２重構造にした。頭の重量で聴く人の頭は耳部までスッポリと、枕１に沈み込み、スピーカーＡ２とスピーカーＣ４は聴者の耳の穴の近くに寄せ付けられる。【選択図】図２
0003194635.tif 000002
【実用新案登録請求の範囲】
【請求項１】
就寝時にラジオや音楽を聴く際に、音声で近くにいる人に迷惑がかからぬようにするために使用する枕において、枕から音声を発生させるために枕（１）の表面の布地の中央部に、小さなスピーカーＡ（２）とスピーカーＢ（３）とスピーカーＣ（４）の３個のスピーカーを一列に並べた状態で施し設けた事を特徴とする枕（１）
【請求項２】
就寝時仰向けの姿勢でスピーカーＡ（２）とスピーカーＣ（４）が発する小さな音声を聞き取るには、スピーカーＡ（２）とスピーカーＣ（４）を聴者の耳の穴の近くに寄せ付けなければなりません、その事を可能にするために、枕の中身の材質を上方を柔らかな材質（７）、下方を硬い材質（８）の２重構造にして聴く人の頭が耳部までスッポリと、枕（１）に沈み込むようにした事を特徴とする請求項１記載の枕（１）
【考案の詳細な説明】
【産業上の利用分野】
【０００１】  高齢になると夕食後、床に就くのが早くなり就寝時間も長くなります、床に就き枕元でラジオや音楽を聞いて楽しむ人は実に大勢います、しかし、耳も遠くなり音量を上げると同居人に迷惑をかけることがあります、特に病院や老人ホーム等ではヘッドホーンやイヤホーンを使用するなど気を使います、本考案は就寝時に他人に気兼ねすること無くラジオや音楽を聞きながら、安心して眠りに就くことができる枕を提供するものである。
【従来の方法】
【０００２】  従来では就寝時にラジオや音楽を聞く時は、音量を極力小さくしてラジオやレコーダーを耳元に引き寄せたり、ヘッドホーンやイヤホーンを使用した、しかし、寝返りを打ったびにこれらの器機が邪魔をして睡眠を妨げました
【考案が解決しようとする課題】
【０００３】  床に就いてからラジオや音楽を聞ながら、そのまま静かに眠りたいものですがなかなかそうは行きません、耳元にラジオやレコーダーがあると体を動かすたびに気になりますし、ヘッドホーンやイヤホーンのコードも邪魔になるものです、寝返りを打つとコードが首に絡むこともあります、聴き終えた後はこれらの機器をかたずけて眠りに就く体制を整えねばなりませんでした、本考案は従来のヘッドホーンやイヤホーンを使用すること無く、枕にヘッドホーンのような効果を創出させるため、枕の中から音声を直接発生させようとするものです、しかし、回りの人に迷惑をかけない程の小さな音声をどの様にして聴く人の耳に拾い上げるかが課題となりました
【課題を解決するための手段】
【０００４】  本考案の枕は図１に示すように枕（１）の表面中央部の布地に、スピーカーＡ（２）とスピーカーＢ（３）とスピーカーＣ（４）の３個のスピーカーを一列に並べた状態で施し設けました，３個のスピーカーは図２で示すように配線（６）により繋げられていますので、同音声を発することは言うまでもありません、聴く人が床に就いて横向きの状態では、図４で示すようにスピーカーＢ（３）から音声を拾うことができます、しかし、仰向けの状態では耳とスピーカーとの間隔があるために、音声を拾うことができません、そこで図２で示すように枕（１）の中身の材質を上方を柔らかな材質（７）、下方を硬い材質（８）の２重構造にして、聴く人の頭の重さにより耳部までスッポリと、頭が枕（１）に沈み込むようにしました、図３で示すようにスピーカーＡ（２）とスピーカーＣ（４）は聴者の耳の穴の近くに寄せ付けられますので、ヘッドホーンの効果を創出し小さな音声を拾うことができるのです、
【考案を実施するための形態】
【０００５】  就寝時にラジオや音楽を楽しもうとする人は、ラジカセ等の機器をセットした後に多くの人は仰向けの姿勢で床に就きます、この時、図３で示すように枕（１）の中央部は頭の重みで深く沈み込みます、スピーカーＡ（２）とスピーカーＣ（４）は聴者の耳の穴の近くに寄せ付けられますので、周囲の人には聞こえない小さい音声を聴くことができます、次に長時間仰向けの姿勢を保つことは疲れが生じます、やがて寝返りをうつべく体を横にします、この時は図４で示すように枕（１）の表面中央部に設けられているスピーカーＢ（３）の上に耳を持ってくることにより聴者は引き続きラジオや音楽を聞く事が出来ます、３個のスピーカーが発する音声は耳元で共鳴しますので、心地好い音色となって聴く者を深い眠りに誘います、
【考案の効果】
【０００６】  本考案は上述の通り構成されているので次に記載する３項目の効果を奏する。
【０００７】  ▲１▼  ３個のスピーカーより発する音量はヘッドホーン効果により極めて小音でも聞く人の耳に届きますから周囲の人に迷惑をかけることはありません
【０００８】  ▲２▼  寝返りを打ち、仰向けや横向けの姿勢を繰り返しても、枕元の器機が気になる事もなくヘッドホーンやイヤホーンのコードが首に絡む煩わしさから解放されます、
【０００９】  ▲３▼  仰向けの姿勢ではスピーカーＡ（２）とスピーカーＣ（４）より音声を拾い、横向きの姿勢ではスピーカー（３）より音声を拾うことができますので、寝返りを繰り返しても継続してラジオや音楽を楽しむ事ができます
【図面の簡単な説明】
【００１０】
【図１】  枕（１）の平面図
【図２】  枕（１）の正面断面図
【図３】  枕（１）の実施の形態を示す正面図
【図４】  枕（１）の実施の形態を示す正面図
【符号の説明】
【００１１】  １  枕
２  スピーカーＡ
３  スピーカーＢ
４  スピーカーＣ
５  コードジャツク
６  配線
７  柔らかい材質
８  硬い材質
【図１】
0003194635.tif 000003
【図２】
0003194635.tif 000004
【図３】
0003194635.tif 000005
【図４】
0003194635.tif 000006
(57)【要約】      （修正有）【課題】自転車に簡便に取り付け出来る下半身の雨除け、防寒、女性のスカート乗車時の目線の防止に活用出来る自転車用カーテンを提供する。【解決手段】自転車のハンドルに筒状の本体１を形状によりスライド可能な固定具２を取り付け本体側面にカーテン引き出し、収納用ハンドル３を付けて使用時は撥水加工されたカーテンを引き出し４自転車前面にカーテンを張り、カーテン下部左右に取り付けたフック状の補助具５で前輪の軸に事前に取り付けた止め具６に引っ掛けて使用する、又収納用ハンドルはハンドルキャップにより固定する。【選択図】図１
0003194370.tif 000002
【実用新案登録請求の範囲】
【請求項１】
自転車のハンドルに筒状の本体（１）をスライド可能な固定具（２）で取付、本体側面にカーテンの引き出し、収納用のハンドル（３）を付けて使用時は撥水加工されたカーテンを引き出して（４）自転車前面にカーテンを張り、カーテン下部左右に取り付けたフック状の補助具（５）で前輪の軸に事前に取り付けた止め具（６）に引っ掛けて使用する、又収納用ハンドルはハンドルキャップ（７）により固定する、自転車用カーテンは自転車に固定することにより携帯等の繁雑さが無くいつでも使用できる、雨除け、防寒、女性のスカート乗車時の目線防止に活用出来る自転車用カーテンである。
【考案の詳細な説明】
【技術分野】
【０００１】  本考案は自転車のハンドルに取り付けた筒状の本体からカーテンを引き出して自転車前面にカーテンを張り下半身の雨除け、防寒対策また女性のスカート乗車時の目線の防止に活用するものである。
【背景技術】
【０００２】  雨天時自転車に乗る場合、上半身は傘により濡れないが下半身は濡れてしまう。
【考案が解決しょうとする課題】
【０００３】  この考案は、従来の実情に対して、自転車に簡便取り付けて主として下半身の雨除け、寒冷期の防寒対策及び女性のスカート乗車時の目線の防止役立ち、快適な走行をに寄与出来るものである。
【考案が解決しょうとする手段】
【０００４】  上記目的を達成するため、本考案は筒状の本体１をハンドルの形状により移動可能な固定具２で取り付けて、本体内に巻き込んである撥水加工されたカーテン４を必要時に引き出して、左右のカーテンに取り付けてある補助具５を自転車前輪軸左右に事前に取り付けた止め具６に引っ掛けて前部にカーテンを張ることにより前方からの雨除け、寒冷時の防寒、そして女性のスカート乗車時のめくれによる目線の防止に対応でき、不要時にはカーテン収納用ハンドル７により収納することが出来、軽易に活用が出来る自転車用カーテンである
【発明の効果】
【０００５】  雨天時は、傘又は合羽上下を使用するが合羽ズボンは着脱が不便であり携帯にも不便で、このカーテンの使用により下半身の雨濡れ防止、寒冷時の防寒、女性のスカート乗車時の目線の防止にも対応出来る効果がある。
【０００６】  特に自転車に取り付けて必要時にカーテンを引き出して使用して、不要時には、カーテン収納用ハンドルにより収納でき、又固定されているのでその都度携行、取り付けする煩わしさが無く軽易に使用できる、又カーテンを年齢に応じたデザインを考慮して見た目にもオシャレが楽しめるような用具として利用出来る。
【図面の簡単な説明】
【図１】  自転車用カーテン取り付けた状態（前面）
【図２】  自転車用カーテン取り付けた状態（側面）
【図３】  本考案の本体構成図
【図４】  本考案のカーテン部構成図
【符号の説明】１    本体
２    固定具
３    カーテン収納用ハンドル
４    カーテン
５    補助具
６    止め具
７    ハンドルキャップ
【図１】
0003194370.tif 000003
【図２】
0003194370.tif 000004
【図３】
0003194370.tif 000005
【図４】
0003194370.tif 000006
(57)【要約】      （修正有）【課題】太陽の熱や産業排熱を利用して、経済的に効率よく発電する太陽熱と産業排熱を利用した発電装置を提供する。【解決手段】熱発電素子１をチューブ状にして、外側を太陽熱や産業排熱で温め、内側を水２で冷却し、外側と内側の温度差を利用して電気を起こす。【選択図】図１
0003194368.tif 000002
【実用新案登録請求の範囲】
【請求項１】
チューブ状になった熱発電素子の外側を太陽や産業排熱で温め、内側を水で冷却することで温度差を作り、前記温度差を利用して発電する太陽熱と産業排熱を利用した発電装置
【考案の詳細な説明】
【技術分野】
【０００１】  本考案は太陽熱や産業排熱で温められた熱発電素子の片側と水で冷やされた片側の温度差を利用して発電する、発電装置に関するものである。
【背景技術】
【０００２】  従来、太陽を利用する発電は、太陽光発電のみだった。また、空気中への産業排熱は、放置されているか、複雑な工程を経てあまり効率のよい利用はされていなかった。
【考案の概要】
【考案が解決しようとする課題】
【０００３】  太陽の熱や産業排熱を利用して、経済的に効率よく発電する装置を提供する。
【課題を解決するための手段】
【０００４】  本考案は、熱発電素子を使って、太陽熱や産業排熱で温められた側と、水で冷やされた側の温度差を利用して発電する装置を作る。
【考案の効果】  設置料が安価で、水も大量に使用せず、メンテナンスもあまり必要とせず、害になる廃棄物も出さずに発電できる。
【図面の簡単な説明】
【０００６】
【図１】熱発電装置をチューブ状にして、中に水を通した発電装置。
【考案を実施するための形態】
【０００７】熱を集められる空間に、チューブ状になった熱発電装置を置き、前記チューブの中に水を通す。チューブの外は太陽や産業排熱で温められ、チューブの内側は水で冷やされ、温度差で電気を起こす。
【０００８】作られた電気を金属線を使って取出し利用したり、蓄電器に蓄めたりする。
【符号の説明】
【０００９】１チューブ状になった熱発電素子
２チューブの内側に通された水
３作られた電気を取り出す金属線
【図１】
0003194368.tif 000003
(57)【要約】      （修正有）【課題】ネクタイの装着が早く出来て時間の短縮と首回りが楽で健康的にも良いネクタイを提供する。【解決手段】すでに結んでセットしてあるネクタイ１の両端を磁石付フアスナー２により首の後方で接続し首の強弱を調整して装着する。【選択図】図２
0003194365.tif 000002
【実用新案登録請求の範囲】
【請求項１】
すでに結んでセットしてあるネクタイ（１）を両端の磁石付フアスナー（２）を首の後方で接続し首の強弱を調整して装着する。
装、脱着、簡単ネクタイ。
【考案の詳細な説明】
【技術分野】
【００１】この考案はネクタイの装着がすぐ簡単に出来て首の回りも柔らかくて肩のこりもなく便利で健康的に良いネクタイの考案である。
【背景技術】
【００２】従来はネクタイを装着するのに時間がかかって困り長時間首を絞めるので肩がこって健康的にも良くなかった。
（特許文献１参照）
【先行技術文献】
【００３】
【特許文献】
【特許文献】特開００００−００００００号会報
【考案の概要】
【考案が解決しようとする課題】
【００４】朝時間の忙しいサラリーマンにとって早く装着出来るネクタイによって時間の短縮になり心身共にリラックスできる。
【課題を解決するたの手段】
【００５】すでに結んでセットしてあるネクタイ（１）を両端の磁石付フアスナー（２）を首の後方で接続し首の強弱を調整して装着する。
【考案の効果】
【００６】朝の忙しい時間に簡単に装着できて首回りも楽で時間の余裕もできてなに事もリラックスできる。
【図面の簡単な説明】
【００７】
【図１】結んでセットしたネクタイの正面図である。
【図２】結んでセットしたネクタイの斜視図である。
【考案を実施するための形態】
【００８】本考案を実施するための形態について説明する。
すでに結んでセットしてあるネクタイ（１）両端の磁石付フアスナー（２）を首の後方で接続し首のしまりの強弱の調整して装着し首回りも楽で装着が早く健康的にも良い。
【符号の説明】（１）ネクタイ
（２）磁石付フアスナー
【図１】
0003194365.tif 000003
【図２】
0003194365.tif 000004
【手続補正書】
【提出日】平成26年9月3日(2014.9.3)
【手続補正１】
【補正対象書類名】実用新案登録請求の範囲
【補正対象項目名】全文
【補正方法】変更
【補正の内容】
【実用新案登録請求の範囲】
【請求項１】
すでに結んでセットしてあるネクタイ（１）を両端の磁石付ファスナー（２）を首の後方で接続し首のしまりの強弱を調整して装着する、装  脱着簡単ネクタイ。
(57)【要約】      （修正有）【課題】豊富な色を使い、女性が普段使いできるデザインをもち、なおかつ顔の上面、側面から入る太陽光を遮蔽し、紫外線を効果的に防ぐ紫外線対策用アセテートまたはセルロイド製サングラスを提供する。【解決手段】アセテートやセルロイド生地板を加工して製造されており、さらに前枠の上面、側面に特別加工によって作られた太陽光遮蔽フード２が一体となっており、顔の上部、側面から入る太陽光に含まれる紫外線を効果的に防ぐ。また色も豊富で、デザイン的にも女性が日常で普段使いできる紫外線対策用ファッションサングラスとなっている。【選択図】図１
0003194362.tif 000002
【実用新案登録請求の範囲】
【請求項１】
射出成型により製造されるプラスチック樹脂製サングラスでなく、アセテート生地板材またはセルロイド生地板材を使って切削、曲げ、部品取り付け、研磨等の製造工程より製造されており、前枠側面部、上面部に太陽光遮蔽フードが形成された紫外線対策用アセテートまたはセルロイド製サングラスである。
【請求項２】
本発明品である太陽光遮蔽フード一体構造サングラスの製造方法として、 従来の製造で用いるアセテート生地製またはセルロイド生地の厚みの約２倍にあたる10mm〜１２ｍｍ厚生地板を使って製造する。
一体型遮蔽フード部を前枠の側面と上面に作るために必要な厚みである10mm〜12mmの厚みのある生地の製造方法として、１）必要な厚みを出すために従来品の前枠の厚み5mmまたは6mm厚生地を2枚貼り合せて生地を作る。
２）貼り合せて出来る厚みと同じ12mm厚のアセテート生地、セルロイド生地を製造メーカーに特注で製造してもらう。こうしてできた余分の厚みのある生地を機械切削工程、手作業で加工して、サングラスの智の側面部と上面部に太陽光に含まれる紫外線を防ぐ遮蔽フードを形成する。
【考案の詳細な説明】
【技術分野】
【０００１】
健康及び美容関連技術
【背景技術】
【０００２】
従来型の花粉や紫外線対策用眼鏡、サングラスは金型にナイロン、熱可塑性エラストマー、CP素材（プロピオン酸セルロース）などの樹脂を射出成型して製造されたプラスチック成型品であった。本発明品は射出成型によるプラスチック製ではなく、アセテート生地板材またはセルロイド生地板材を使って切削加工にて製造されている。また従来のアセテート製やセルロイド製ファッションサングラスでは、構造的に顔の上面や側面から入る太陽光に含まれる紫外線を防げず、特に目元の肌にダメージを与えて染み、たるみなどができて老化の要因を作っている。この紫外線の目元へのダメージを防ぐための方法としては、上記の成型プラスチック樹脂製品やアスリートが使うような成型プラスチック製スポーツサングラスしかなく、用途が違うためファッション性に乏しく、女性がスポーツ以外の普段使いができない。
【考案の概要】
【考案が解決しようとする課題】
【０００３】
プラスチック成型品スポーツサングラスや花粉対策めがねではなく、アセテート製またはセルロイド製生地で製造することで、素材の色の豊富さやデザイン的にも女性が普段使いできるファッションサングラスでありながら、なおかつ太陽光遮蔽フード一体型サングラスをかけることで、顔の上部ならびに側面から目元に当る太陽光に含まれる紫外線を効果的に防ぎたい。
【課題を解決するための手段】
【０００４】
従来型の花粉対策、紫外線対策めがねのようなプラスチック成型樹脂品は価格が安い分、製品の見た目や質感も悪く、ファッション性に非常に乏しい。またアスリートや野球選手が使う従来品スポーツサングラスはスポーツ時の使用を目的としているため、やはりファッション性に欠けており、女性が普段使いでかけることができない。、本発明品は射出成型ではなく、アセテート製生地板ややセルロイド製生地板を切削加工で形状を出し、曲げ工程、部品組付け工程、磨き工程などを経て製造されたファッションサングラスである。  その前枠には、5mm〜6mmのアセテートやセルロイド生地を貼り合せて通常の２倍の厚さにした生地もしくは、最初から12mm厚で生産された生地板を使って一体となった太陽光遮蔽フードを形成することで、顔の上部、側面から入る太陽光に含まれる紫外線を効果的に防ぐ。  生地色も豊富にあり、構造的デザイン的にも女性が日常で普段使いできる紫外線対策用のファッションサングラスとなっている。
【考案の効果】
【０００５】
従来のアセテート製、セルロイド製サングラスは、顔の正面から入る太陽光をサンレンズで遮っているだけであり、上面、側面が大きく開いているので、特に女性にとって心配な目や目元への紫外線防止には不十分である。しかし本発明品は一体型太陽光遮蔽フードを前枠外側の上面と側面に作ることで、顔の側面と上面から入る太陽光を効果的に防ぐので、目や目元への紫外線による損傷やシミの危険性を大幅に低減できる。
【図面の簡単な説明】
【０００６】
【図１】図1．本発明品構造を示すサングラス側面図である。
【図２】図2．本発明品構造を示すサングラス上面図である。
【図３】図3．本発明品と従来型構造サングラスの比較側面図である。
【図４】図4．本発明品と従来型構造サングラスの比較上面図である。
【図５】図５．本発明品をかけた頭部を示す側面図である。
【図６】図6.本発明品をかけた頭部を示す上面図である。
【考案を実施するための形態】
【０００７】
従来型のアセテート製サングラスの上面と側面に本体フロント部一体型太陽光遮蔽フードをつけることで、太陽光に含まれる
紫外線の目元への侵入を防ぐ。
【符号の説明】
【０００８】
１．生地の貼り合せ線
２．太陽光遮蔽フード
３．テンプル
４．サングラスレンズ
【図１】
0003194362.tif 000003
【図２】
0003194362.tif 000004
【図３】
0003194362.tif 000005
【図４】
0003194362.tif 000006
【図５】
0003194362.tif 000007
【図６】
0003194362.tif 000008
【手続補正書】
【提出日】平成26年9月24日(2014.9.24)
【手続補正１】
【補正対象書類名】実用新案登録請求の範囲
【補正対象項目名】全文
【補正方法】変更
【補正の内容】
【実用新案登録請求の範囲】
【請求項１】
前枠側面部及び上面部に太陽光遮蔽フードが形成されたことを特徴とする、紫外線対策用アセテートまたはセルロイド製サングラス。
【請求項２】
太陽光遮蔽フードは、前枠と一体形成されたことを特徴とする、請求項１に記載の紫外線対策用アセテートまたはセルロイド製サングラス。